(57)【要約】【課題】  証紙を遊技盤の非遊技領域の一箇所に集約して配置できるようにした遊技機及び遊技盤を提供する。【解決手段】  パチンコ機１は、センター飾り１１等の複数種の遊技部品が配設された遊技領域７ａとその周囲に位置する非遊技領域７ｂとを有する遊技盤７を備え、遊技領域７ａに遊技球を打ち出して遊技するように構成される。パチンコ機１は、当該パチンコ機１に関わる必須情報が記載された証紙２０、２１、２５〜２７を保持する証紙保持部材１９と、非遊技領域７ｂの一部に設けられ、証紙保持部材１９が係合孔２９及び係合突起３０を介して着脱されるべき証紙保持部材着脱部２８とを備える。【選択図】      図３
2005329029.tif 000002
【特許請求の範囲】
【請求項１】
複数種の遊技部品が配設された遊技領域と該遊技領域の周囲に位置する非遊技領域とを有する遊技盤を備え、前記遊技領域に遊技球を打ち出して遊技するように構成された遊技機であって、
前記遊技機に関わる必須情報が記載された証紙を保持する証紙保持部材と、
前記非遊技領域の一部に設けられ、前記証紙保持部材が着脱手段を介して着脱されるべき証紙保持部材着脱部とを備える、
ことを特徴とする遊技機。
【請求項２】
前記着脱手段は、前記証紙保持部材着脱部の外周縁に形成された係合孔と、該係合孔に対応するように前記証紙保持部材の裏面に突設された係合突起とから構成される、
ことを特徴とする請求項１に記載の遊技機。
【請求項３】
複数種の遊技部品が配設された遊技領域と該遊技領域の周囲に位置する非遊技領域とを有して遊技機に装着される遊技盤であって、
前記遊技機に関わる必須情報が記載された証紙を保持する証紙保持部材と、
前記非遊技領域の一部に設けられ、前記証紙保持部材が着脱手段を介して着脱されるべき証紙保持部材着脱部と、
を備えることを特徴とする遊技盤。
【請求項４】
前記着脱手段は、前記証紙保持部材着脱部の外周縁に形成された係合孔と、該係合孔に対応するように前記証紙保持部材の裏面に突設された係合突起とから構成される、
ことを特徴とする請求項３に記載の遊技盤。
【発明の詳細な説明】
【技術分野】
【０００１】
本発明は、パチンコ機等の遊技機及び該遊技機に装着される遊技盤に関し、詳しくは、遊技機に関わる証紙の扱い方を改善し得る遊技機及び遊技盤に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域に配設された障害釘や風車等の遊技部品に導かれつつ遊技領域を流下して、各種入賞口に入球し、或いは入球せずに遊技盤下部の球排出口（アウト口）に流入するように構成されたものが知られている（例えば、特許文献１参照）。
【０００３】
このようなパチンコ機では、一般入賞口に入賞した際にそれに対応した個数の遊技球が払い出され、また始動チャッカーに入賞した際にはこれに基づいて大当たり抽選が行われると共に所定数の遊技球が払い出され、当該抽選の結果に応じて、遊技盤の中央部分に設けられた液晶表示装置の画面上で所定の演出表示が行われる。大当たりの発生時には、アタッカーと呼ばれる大入賞口が開放し、入球に対応して多量の遊技球が払い出される状態となる。
【０００４】
【特許文献１】特開２００３−２３６２１０号公報
【発明の開示】
【発明が解決しようとする課題】
【０００５】
一般に、上述したようなパチンコ機では、遊技盤における遊技領域周囲の非遊技領域に、当該パチンコ機に関わる必須情報を記載した複数種の証紙が、ガラス枠を通して視認可能となるように点在して貼付されている。従って、このように点在する証紙の全てを容易に視認できるようにするため、遊技機前面のガラス枠の少なくとも各証紙と対向する部位には透明ガラスや透明樹脂等の透明材質を必ず使用しなければならず、遊技盤及び遊技盤前面に配置されるガラス枠のデザイン性に制限が生じていた。このため、透明材質の使用範囲を減少させ、遊技盤及びガラス枠に装飾豊かなデザイン性を持たせることは困難であった。
【０００６】
また、決められた工場にて製造・出荷される際には、新しい遊技盤にその対応する証紙を、遊技領域周囲に点在する各位置にいちいち貼付しなければならない。このため、誤って証紙を傷つけてしまったり、貼付位置がずれて見栄えが悪くなったりするような不都合を生じることがあった。
【０００７】
そこで本発明は、パチンコ機等の遊技機に関わる必須情報を記載した証紙を遊技盤の非遊技領域の或る一箇所に集約して配置できるように構成し、もって上述した課題を解決した遊技機及び遊技盤を提供することを目的とするものである。
【課題を解決するための手段】
【０００８】
請求項１に係る本発明は（例えば図１ないし図５参照）、複数種の遊技部品（例えば１１、１５、１６）が配設された遊技領域（７ａ）と該遊技領域（７ａ）の周囲に位置する非遊技領域（７ｂ）とを有する遊技盤（７）を備え、前記遊技領域（７ａ）に遊技球を打ち出して遊技するように構成された遊技機（１）であって、
前記遊技機（１）に関わる必須情報が記載された証紙（２０、２１、２５〜２７）を保持する証紙保持部材（１９）と、
前記非遊技領域（７ｂ）の一部に設けられ、前記証紙保持部材（１９）が着脱手段（２９、３０）を介して着脱されるべき証紙保持部材着脱部（２８）とを備える、
ことを特徴とする遊技機（１）にある。
【０００９】
請求項２に係る本発明（例えば図４及び図５参照）は、前記着脱手段が、前記証紙保持部材着脱部（２８）の外周縁に形成された係合孔（２９）と、該係合孔（２９）に対応するように前記証紙保持部材（１９）の裏面に突設された係合突起（３０）とから構成される、
ことを特徴とする請求項１に記載の遊技機（１）にある。
【００１０】
請求項３に係る本発明（例えば図１ないし図５参照）は、複数種の遊技部品（例えば１１、１５、１６）が配設された遊技領域（７ａ）と該遊技領域（７ａ）の周囲に位置する非遊技領域（７ｂ）とを有して遊技機（１）に装着される遊技盤（７）であって、
前記遊技機（７）に関わる必須情報が記載された証紙（２０、２１、２５〜２７）を保持する証紙保持部材（１９）と、
前記非遊技領域（７ｂ）の一部に設けられ、前記証紙保持部材（１９）が着脱手段（２９、３０）を介して着脱されるべき証紙保持部材着脱部（２８）と、
を備えることを特徴とする遊技盤（７）にある。
【００１１】
請求項４に係る本発明（例えば図４及び図５参照）は、前記着脱手段が、前記証紙保持部材着脱部（２８）の外周縁に形成された係合孔（２９）と、該係合孔（２９）に対応するように前記証紙保持部材（１９）の裏面に突設された係合突起（３０）とから構成される、
ことを特徴とする請求項３に記載の遊技盤（７）にある。
【００１２】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１３】
請求項１に係る本発明によると、遊技機に関わる必須情報が記載された証紙を保持する証紙保持部材と、非遊技領域の一部に設けられ、証紙保持部材が着脱手段を介して着脱されるべき証紙保持部材着脱部とを備えるので、種々の証紙を全て一箇所に集約した証紙保持部材を、他の遊技盤用に再利用することが可能になる。このため、最初の遊技盤用の証紙保持部材が準備されれば、この証紙保持部材を他の遊技盤に再利用することで、他の遊技盤用の証紙保持部材を別途準備しなくてもよくなり、その分のコストを削減することができる。また、遊技盤の交換時には、証紙保持部材を遊技盤とは別体に扱って、証紙の貼り替え作業を楽な姿勢で容易に行うことができるので、誤って証紙を傷つけてしまったり、貼付位置がずれて見栄えが悪くなったりするような不都合の発生を確実に防止できる。また、証紙を非遊技領域に集約配置し得ることにより、遊技者に対して目視可能にするため用いられるガラス等の透明部材の使用範囲を減少させることができ、従って、コスト削減を実施できるばかりか、遊技盤及びガラス枠に装飾豊かなデザイン性を持たせることができ、また、遊技領域を拡張する要請にも対応することが可能になる。
【００１４】
請求項２に係る本発明によると、着脱手段が、証紙保持部材着脱部の外周縁に形成された係合孔と、該係合孔に対応するように証紙保持部材の裏面に突設された係合突起とからなるので、証紙保持部材を証紙保持部材着脱部に確実に着脱し得る着脱手段を極めて簡単な構成で実現することができる。
【００１５】
請求項３に係る本発明によると、遊技機に関わる必須情報が記載された証紙を保持する証紙保持部材と、非遊技領域の一部に設けられ、証紙保持部材が着脱手段を介して着脱されるべき証紙保持部材着脱部とを備えるので、種々の証紙を全て一箇所に集約した証紙保持部材を、他の遊技盤用に再利用することが可能になる。このため、最初の遊技盤用の証紙保持部材が準備されれば、この証紙保持部材を他の遊技盤に再利用することで、他の遊技盤用の証紙保持部材を別途準備しなくてもよくなり、その分のコストを削減することができる。また、遊技盤の交換時には、証紙保持部材を遊技盤とは別体に扱って、証紙の貼り替え作業を楽な姿勢で容易に行うことができるので、誤って証紙を傷つけてしまったり、貼付位置がずれて見栄えが悪くなったりするような不都合の発生を確実に防止できる。また、証紙を非遊技領域に集約配置し得ることにより、遊技者に対して目視可能にするため用いられるガラス等の透明部材の使用範囲を減少させることができ、従って、コスト削減を実施できるばかりか、遊技盤及びガラス枠に装飾豊かなデザイン性を持たせることができ、また、遊技領域を拡張する要請にも対応することが可能になる。
【００１６】
請求項４に係る本発明によると、着脱手段が、証紙保持部材着脱部の外周縁に形成された係合孔と、該係合孔に対応するように証紙保持部材の裏面に突設された係合突起とからなるので、証紙保持部材を証紙保持部材着脱部に確実に着脱し得る着脱手段を極めて簡単な構成で実現することができる。
【発明を実施するための最良の形態】
【００１７】
以下、本発明に係る遊技機の実施形態として、遊技場等に設置されるパチンコ機を図１ないし図５に沿って説明する。
【００１８】
なお、図１は本実施形態におけるパチンコ機の外部構造を示す正面図、図２は図１のパチンコ機をそのガラス枠を開放した状態で示す外観斜視図、図３は本パチンコ機に装着される遊技盤を単体で示す正面図、図４は証紙保持部材を取り外した状態の遊技盤を示す正面図、図５は取り外した証紙保持部材を単体で示す正面図である。
【００１９】
本パチンコ機１は、発射ハンドル９の操作による発射装置（図示せず）の作動で遊技球（いわゆるパチンコ玉）を遊技領域７ａに打ち出しつつ遊技を行うもので、いわゆる確率変動等の大当たりが発生した状態でアタッカー（大入賞口）１６（図３参照）に入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２０】
図１及び図２に示すように、本パチンコ機１は、筐体２と、筐体２に開閉可能に装着された前扉３とを有しており、前扉３の前面には、透明ガラス６を有するガラス枠５が開閉可能に取付けられている。透明ガラス６の奥側には、遊技領域７ａを有する遊技盤７が配置されている。前扉３における遊技領域７ａの左右及び上部には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。なお、上記筐体２及び前扉３等から遊技機本体が構成されている。
【００２１】
前扉３における下部中央には皿ユニット１３が設けられており、皿ユニット１３における右上部には、賞球及び貸球を含む遊技球が供給される球供給口１８が設けられ、皿ユニット１３における左上部壁面には、球貸ボタン１４ａ及びプリペイドカード返却ボタン１４ｂが設けられている。皿ユニット１３の中央部には、該皿ユニット１３上の遊技球を発射装置付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。
【００２２】
また、前扉３における皿ユニット１３の右側下方には、上記球発射装置を操作して遊技球を遊技領域７ａに向けて打ち出すための発射ハンドル９が設けられている。更に、皿ユニット１３の下部左方には、灰皿２４が配置されている。なお、図２中の符号１０は、発射ハンドル９の操作で発射された遊技球を遊技領域７ａに導くガイドレール１０である。
【００２３】
次に、図３ないし図５を参照して、遊技盤７の構成を詳しく説明する。すなわち、図３及び図４に示すように、全体として略正方形状の遊技盤７の中央部には、遊技球ステージＳを有するセンター飾り１１が配置され、このセンター飾り１１の中央部に形成された矩形状の開口には、遊技盤７の裏面に配置された液晶表示装置（図柄表示装置）１２が露出している。上記遊技球ステージＳは、センター飾り１１内にワープ入球口から導入される遊技球や、いわゆる導釘やジャンプ釘（図示せず）等で弾き返されて導入される遊技球を始動チャッカー（始動入球口）１５に導くように作用する。また、遊技球ステージＳの中央部下方には上記始動チャッカー１５が設けられ、該始動チャッカー１５の下方には、アタッカー１６及び球排出口１７が順次設けられている。
【００２４】
なお、遊技領域７ａには、上記センター飾り１１や始動チャッカー１５等の遊技部品以外にも、一般入球口（図示せず）や、上記導釘等を含む多数の障害釘（図示せず）が設けられている。また、上記「ワープ」という語句は、遊技領域７ａに打ち出された遊技球を、遊技球ステージＳの比較的下側にて始動チャッカー１５の左右方向に延在する多数の障害釘（道釘）等を経ることなく、始動チャッカー１５の上に導くことを意味する概念である。
【００２５】
そして、図３に示すように、遊技盤７の右側一隅部、つまり、遊技領域７ａの周囲に位置する非遊技領域７ｂの一部に設けられた略Ｌ字状の証紙保持部材着脱部２８（図４参照）には、全体として略Ｌ字状の証紙保持部材１９が、着脱手段を介して着脱自在に設けられている。この着脱手段は、遊技盤７に形成された上記証紙保持部材着脱部２８の外周縁内側に適宜の間隔で形成された複数（本実施形態では７個）の係合孔２９（図４参照）と、各係合孔２９に対応するように証紙保持部材１９の裏面に突設される、係合孔２９と同数（本実施形態では７個）の係合突起３０（図５参照）とから構成されている。
【００２６】
証紙保持部材１９の表面には、図５に示すように上部から下部に向かって、パチンコ機１に関わる必須情報が記載された証紙２０、２１及び２５〜２７が貼付・保持されている。証紙２０にはＱＲ（所謂バーコードの略称）コードが記載され、証紙２１には型式名及びスペック（大当たり確率等）が記載され、証紙２５には版権及びＪＡＳＲＡＣ（日本著作権の略称）が記載され、証紙２６には賞球数（５＆１０＆１５）が記載されている。また証紙２７には、製造番号及び製造時期等が記載された部位２７ａと、ＮＹＫ（日本遊技機組合の略称）が記載された部位２７ｂと、日本遊技機組合之証が記載された部位２７ｃと、筐体２や前扉３等と一体にして出荷する際の新台を意味する「新」が記載された部位２７ｄと、製造会社名が記載された部位２７ｅとが含まれている。なお、筐体２や前扉３等とは別に遊技盤７のみの形で出荷する際には、これを意味する「盤」が上記部位２７ｄに記載されることになる。
【００２７】
ついで、本パチンコ機１による作用について説明する。すなわち、本パチンコ機１に対して着座した遊技者が発射ハンドル９を握り、適宜の角度に回動操作すると、不図示の発射装置の作動によって遊技球が所定の間隔で遊技領域７ａに向けて連続的に発射される。すると、遊技領域７ａに放出された多数の遊技球は、遊技球ステージＳを介して又は直接的に始動チャッカー１５に入賞し、或いは、不図示の他の一般入賞口に入賞することとなる。また、これらのいずれにも入賞し得なかった遊技球は、遊技領域７ａの最下部に位置する球排出口１７から遊技盤７背面側に排出される。
【００２８】
上述のように始動チャッカー１５に入球した際には、これに基づいて大当たり抽選が行われると共に所定数の遊技球が払い出され、当該抽選の結果に応じて、液晶表示装置１２上で所定の演出表示が行われる。大当たりの発生時には、アタッカー１６が開放し、入球に対応して多量の遊技球が払い出される状態となる。
【００２９】
以上のようなパチンコ機１に証紙を貼付する際には、まず、証紙保持部材１９をその周囲縁部に指を掛けながら遊技盤手前側に引き出して、証紙保持部材１９裏面の係合突起３０を係合孔２９から離脱させて証紙保持部材着脱部２８から取り外す。
【００３０】
その後、遊技盤７を装着するのであるが、その際、証紙保持部材１９が新品である場合にはその上面に種々の証紙２０、２１、２５〜２７をそのまま単に貼付することができ、また、証紙保持部材１９が再利用品である場合にはその貼付されている古い証紙を剥離した後、新しい遊技盤７に対応する証紙を同様の状態に貼付する。そして、証紙を完全な状態に貼付した証紙保持部材１９を、新しい遊技盤７への再利用品として使用し、遊技盤７の証紙保持部材着脱部２８に合わせ係合孔２９に係合突起３０を係合させつつ装着する。なお、本実施形態では、証紙保持部材１９に対して上述のような種別の証紙２０、２１、２５〜２７を貼付する旨を説明したが、証紙保持部材１９には、これら種別の証紙以外にも、必要に応じた種別の証紙類を適宜貼付することができることは勿論である。
【００３１】
以上のように、本実施形態のパチンコ機１及び該パチンコ機１に装着した遊技盤７では、パチンコ機１に関わる必須情報が記載された複数種の証紙２０、２１、２５〜２７を保持する証紙保持部材１９と、非遊技領域７ｂの一部に設けられ、証紙保持部材１９が係合孔２９及び係合突起３０を介して着脱されるべき証紙保持部材着脱部２８とを備えたので、種々の証紙２０、２１、２５〜２７を全て一箇所に集約した証紙保持部材１９を、他の遊技盤７用に再利用することが可能になる。このため、最初の遊技盤７用の証紙保持部材１９が準備されれば、この証紙保持部材１９を他の遊技盤７に再利用することができ、従って、他の遊技盤７には証紙保持部材１９が準備されなくても良く、その分のコストを削減することができる。また、遊技盤７の交換時には、証紙保持部材１９を遊技盤７とは別体に扱って、証紙の貼り替え作業を楽な姿勢で容易に行うことができるので、誤って証紙を傷つけてしまったり、貼付位置がずれて見栄えが悪くなったりするような不都合の発生を確実に防止できる。
【００３２】
また、証紙２０、２１、２５〜２７を非遊技領域７ｂに集約配置したので、遊技者に対して目視可能にするために用いられるガラス等の透明部材の使用範囲を減少させることができ、従って、コスト削減を実施できるばかりか、遊技盤７及びガラス枠５に装飾豊かなデザイン性を持たせることができ、また、遊技領域７ａを拡張する要請にも対応することが可能になる。
【００３３】
更に、証紙保持部材着脱部２８の外周縁に形成された係合孔２９と、該係合孔２９に対応するように証紙保持部材１９の裏面に突設された係合突起３０とから着脱手段が構成されるので、証紙保持部材１９を証紙保持部材着脱部２８に確実に着脱し得る着脱手段を極めて簡単な構成で実現することができる。
【００３４】
なお、本実施形態における証紙保持部材１９を用いた証紙貼り替えは、決められた工場での製造・出荷時に限らず、例えば、遊技店（ホール）でのいわゆる新装開店時の新台入れ替え時、島設備に固定したパチンコ機１の前扉３に対して、新しい遊技盤７を装着する前又は装着した後に行うことも可能である。
【００３５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００３６】
【図１】本発明の実施形態におけるパチンコ機の外部構造を示す正面図である。
【図２】図１のパチンコ機をそのガラス枠を開放した状態で示す外観斜視図である。
【図３】本パチンコ機に装着される遊技盤を単体で示す正面図である。
【図４】証紙保持部材を取り外した状態の遊技盤を示す正面図である。
【図５】取り外した証紙保持部材を単体で示す正面図である。
【符号の説明】
【００３７】
１…パチンコ機（遊技機）
７…遊技盤
７ａ…遊技領域
７ｂ…非遊技領域
１１、１５、１６…遊技部品
１９…証紙保持部材
２０、２１、２５〜２７…証紙
２９…係合孔（着脱手段）
２８…証紙保持部材着脱部
３０…係合突起（着脱手段）
【図１】
2005329029.tif 000003
【図２】
2005329029.tif 000004
【図３】
2005329029.tif 000005
【図４】
2005329029.tif 000006
【図５】
2005329029.tif 000007